(57)【要約】【課題】デジタルカメラにより取得した静止画像等のデータの内容を容易に認識できるようにする。【解決手段】メモリカード２から読み出された、デジタルカメラにより取得された複数の画像を、分類部３２が日付単位で複数のグループに分類する。代表データ選択部３４が、複数のグループのそれぞれから所定数の代表データを選択する。表示制御部２８が、所定数の代表データのサムネイル画像を日付単位で分類された日付領域に配置してモニタ６に表示する。【選択図】図２
2010279047.tif 000002
【特許請求の範囲】
【請求項１】
デジタルカメラにより取得された複数のデータの入力を受け付けるデータ入力手段と、
前記複数のデータを日付単位で複数のグループに分類する分類手段と、
前記複数のグループのそれぞれから所定数の代表データを選択する代表データ選択手段と、
前記所定数の代表データのサムネイル画像を前記日付単位で分類された日付領域に配置して表示手段に表示する表示制御手段とを備えたデータ表示装置であって、
前記分類手段は、前記複数のグループに分類されたデータを、該データを時系列順に並べた状態における取得時間差に基づいて前記所定数の小グループに分類する手段であり、
前記代表画像選択手段は、前記所定数の小グループの１つのデータを前記代表データとして選択する手段であることを特徴とするデータ表示装置。
【請求項２】
デジタルカメラにより取得された複数のデータの入力を受け付けるデータ入力手段と、
前記複数のデータを日付単位で複数のグループに分類する分類手段と、
前記複数のグループのそれぞれから所定数の代表データを選択する代表データ選択手段と、
前記所定数の代表データのサムネイル画像を前記日付単位で分類された日付領域に配置して表示手段に表示する表示制御手段とを備えたデータ表示装置であって、
前記分類手段は、前記データが静止画像である場合において、前記複数のグループに分類されたデータを、類似する画像単位で前記所定数以上の複数の小グループに分類する手段であり、
前記代表画像選択手段は、前記複数の小グループのそれぞれに分類されたデータの画質の評価値に基づいて、前記所定数の代表データを選択する手段であることを特徴とするデータ表示装置。
【請求項３】
デジタルカメラにより取得された複数のデータの入力を受け付けるデータ入力手段と、
前記複数のデータを日付単位で複数のグループに分類する分類手段と、
前記複数のグループのそれぞれから所定数の代表データを選択する代表データ選択手段と、
前記所定数の代表データのサムネイル画像を前記日付単位で分類された日付領域に配置して表示手段に表示する表示制御手段とを備えたデータ表示装置であって、
前記分類手段は、前記複数のグループに分類されたデータを、該データを時系列順に並べた状態における取得時間差に基づいて前記所定数の小グループに分類する手段であり、
前記代表画像選択手段は、前記所定数の小グループにおける画質の評価値が最も高い１つのデータを前記代表データとして選択する手段であることを特徴とするデータ表示装置。
【請求項４】
前記表示制御手段は、前記代表データが動画像である場合において、該動画像の先頭フレームを前記サムネイル画像として表示する手段であることを特徴とする請求項１記載のデータ表示装置。
【請求項５】
前記表示制御手段は、前記代表データが動画像である場合において、該動画像から複数のフレームを取得し、該複数のフレームを並べて配置して１つの前記サムネイル画像として表示する手段であることを特徴とする請求項１記載のデータ表示装置。
【請求項６】
前記データが、静止画像、動画像および音声のデータを含む場合、前記表示制御手段は、前記代表データとともに、対応する日付、並びに該対応する日付に分類されたデータにおける前記静止画像、前記動画像および前記音声の数を含む付帯情報をさらに表示する手段であることを特徴とする請求項１から５のいずれか１項記載のデータ表示装置。
【請求項７】
前記日付領域の選択を受け付けると、該日付領域に対応するグループのすべての画像の選択を行う選択手段をさらに備えたことを特徴とする請求項１から６のいずれか１項記載のデータ表示装置。
【請求項８】
前記表示制御手段は、前記選択された日付領域に対応するグループの画像の一覧を前記表示手段に表示し、該一覧において、互いに類似する画像および不要画像候補を識別可能に前記複数の画像を表示する手段であることを特徴とする請求項７記載のデータ表示装置。
【請求項９】
デジタルカメラにより取得された複数のデータの入力を受け付け、
前記複数のデータを日付単位で複数のグループに分類し、
前記複数のグループのそれぞれから所定数の代表データを選択し、
前記所定数の代表データのサムネイル画像を前記日付単位で分類された日付領域に配置して表示手段に表示するデータ表示方法であって、
前記複数のグループに分類されたデータを、該データを時系列順に並べた状態における取得時間差に基づいて前記所定数の小グループに分類し、
前記所定数の小グループの１つのデータを前記代表データとして選択することを特徴とするデータ表示方法。
【請求項１０】
デジタルカメラにより取得された複数のデータの入力を受け付け、
前記複数のデータを日付単位で複数のグループに分類し、
前記複数のグループのそれぞれから所定数の代表データを選択し、
前記所定数の代表データのサムネイル画像を前記日付単位で分類された日付領域に配置して表示手段に表示するデータ表示方法であって、
前記データが静止画像である場合において、前記複数のグループに分類されたデータを、類似する画像単位で前記所定数以上の複数の小グループに分類し、
前記複数の小グループのそれぞれに分類されたデータの画質の評価値に基づいて、前記所定数の代表データを選択することを特徴とするデータ表示方法
【請求項１１】
デジタルカメラにより取得された複数のデータの入力を受け付け、
前記複数のデータを日付単位で複数のグループに分類し、
前記複数のグループのそれぞれから所定数の代表データを選択し、
前記所定数の代表データのサムネイル画像を前記日付単位で分類された日付領域に配置して表示手段に表示するデータ表示方法であって、
前記複数のグループに分類されたデータを、該データを時系列順に並べた状態における取得時間差に基づいて前記所定数の小グループに分類し、
前記所定数の小グループにおける画質の評価値が最も高い１つのデータを前記代表データとして選択することを特徴とするデータ表示方法。
【請求項１２】
デジタルカメラにより取得された複数のデータの入力を受け付ける手順と、
前記複数のデータを日付単位で複数のグループに分類する手順と、
前記複数のグループのそれぞれから所定数の代表データを選択する手順と、
前記所定数の代表データのサムネイル画像を前記日付単位で分類された日付領域に配置して表示手段に表示する手順とを有することを特徴とするデータ表示方法をコンピュータに実行させるためのプログラムであって、
前記分類する手順は、前記複数のグループに分類されたデータを、該データを時系列順に並べた状態における取得時間差に基づいて前記所定数の小グループに分類する手順であり、
前記代表データを選択する手順は、前記所定数の小グループの１つのデータを前記代表データとして選択する手順であることを特徴とするプログラム。
【請求項１３】
デジタルカメラにより取得された複数のデータの入力を受け付ける手順と、
前記複数のデータを日付単位で複数のグループに分類する手順と、
前記複数のグループのそれぞれから所定数の代表データを選択する手順と、
前記所定数の代表データのサムネイル画像を前記日付単位で分類された日付領域に配置して表示手段に表示する手順とを有することを特徴とするデータ表示方法をコンピュータに実行させるためのプログラムであって、
前記分類する手順は、前記データが静止画像である場合において、前記複数のグループに分類されたデータを、類似する画像単位で前記所定数以上の複数の小グループに分類する手順であり、
前記代表データを選択する手順は、前記複数の小グループのそれぞれに分類されたデータの画質の評価値に基づいて、前記所定数の代表データを選択する手順であることを特徴とするプログラム。
【請求項１４】
デジタルカメラにより取得された複数のデータの入力を受け付ける手順と、
前記複数のデータを日付単位で複数のグループに分類する手順と、
前記複数のグループのそれぞれから所定数の代表データを選択する手順と、
前記所定数の代表データのサムネイル画像を前記日付単位で分類された日付領域に配置して表示手段に表示する手順とを有することを特徴とするデータ表示方法をコンピュータに実行させるためのプログラムであって、
前記分類する手順は、前記複数のグループに分類されたデータを、該データを時系列順に並べた状態における取得時間差に基づいて前記所定数の小グループに分類する手順であり、
前記代表データを選択する手順は、前記所定数の小グループにおける画質の評価値が最も高い１つのデータを前記代表データとして選択する手順であることを特徴とするプログラム。
【発明の詳細な説明】
【技術分野】
【０００１】
本発明は、デジタルカメラにより取得された静止画像、動画像および音声等のデータをモニタ等の表示手段に表示するデータ表示装置および方法並びにデータ表示方法をコンピュータに実行させるためのプログラムに関するものである。
【背景技術】
【０００２】
デジタルカメラにより取得した画像をプリント出力するプリントサービスが提供されている。このようなプリントサービスにおいては、例えば特許文献１に記載されているようにプリントが行われる。すなわち、ユーザが自身のパソコンにおいて、ビューアソフトを用いてプリント出力する画像を指定するとともに、プリント枚数およびプリントサイズ等の注文内容を表す注文情報を作成し、注文情報をプリント出力する画像とともにメモリカード等のメディアに記録して写真店に持参する。写真店においては、写真店の店頭に設置された注文受付装置にメディアをセットし、画面に現れる指示にしたがって操作を行うことにより、写真店のプリンタから注文情報により表される注文内容したがって画像がプリント出力される。
【０００３】
また、上述したようにプリント出力やメディアへの記録を行う際には、注文受付装置等において、注文を行う画像の選択のために、メディアに記録された画像を一覧表示する必要がある。その際に、画像を撮影日単位で複数のグループに分類し、各グループの代表画像を各グループのフォルダに表示する手法が提案されている（特許文献２参照）。この手法によれば、各グループに分類された画像の内容を代表画像から知ることができるため、注文する画像の選択を行うのに便利である。
【先行技術文献】
【特許文献】
【０００４】
【特許文献１】特開２００４−３４５９７号公報
【特許文献２】特開２００５−１１９０８３号公報
【発明の開示】
【発明が解決しようとする課題】
【０００５】
しかしながら、上述した特許文献２に記載された手法においては、代表画像は１つのみしか表示されないため、日付単位で分類された画像にどのような画像が含まれているのかが分かりにくいものとなっている。
【０００６】
本発明は上記事情に鑑みなされたものであり、デジタルカメラにより取得した静止画像等のデータの内容を容易に認識できるようにすることを目的とする。
【課題を解決するための手段】
【０００７】
本発明によるデータ表示装置は、デジタルカメラにより取得された複数のデータの入力を受け付けるデータ入力手段と、
前記複数のデータを日付単位で複数のグループに分類する分類手段と、
前記複数のグループのそれぞれから所定数の代表データを選択する代表データ選択手段と、
前記所定数の代表データのサムネイル画像を前記日付単位で分類された日付領域に配置して表示手段に表示する表示制御手段とを備えたことを特徴とするものである。
【０００８】
これにより、表示されたサムネイル画像を見れば、そのサムネイル画像が表示されている日付領域に対応する日付にどのようなデータが分類されているかを容易に認識することができる。
【０００９】
なお、本発明によるデータ表示装置においては、前記データが、静止画像、動画像および音声のデータを含む場合、前記表示制御手段を、前記代表データとともに、対応する日付、並びに該対応する日付に分類されたデータにおける前記静止画像、前記動画像および前記音声の数を含む付帯情報をさらに表示する手段としてもよい。
【００１０】
これにより、付帯情報を参照すれば、分類されたデータが取得された日付、並びにその日付に分類された静止画像、動画像および音声の数を容易に認識することができる。
【００１１】
また、本発明によるデータ表示装置においては、前記代表データ選択手段を、前記データを取得順にてソートした場合における先頭の少なくとも１つのデータおよび最後の少なくとも１つのデータを、前記所定数となるように前記代表データとして選択する手段としてもよい。
【００１２】
これにより、日付単位でどのようなデータが分類されているかを認識しやすくすることができる。
【００１３】
また、本発明によるデータ表示装置においては、前記分類手段を、前記複数のグループに分類されたデータを、該データを時系列順に並べた状態における取得時間差に基づいて前記所定数の小グループに分類する手段とし、
前記代表画像選択手段を、前記所定数の小グループの１つのデータを前記代表データとして選択する手段としてもよい。
【００１４】
これにより、日付単位で分類されたデータから、代表データを満遍なく選択することができる。
【００１５】
また、本発明によるデータ表示装置においては、前記分類手段を、前記データが静止画像である場合において、前記複数のグループに分類されたデータを、類似する画像単位で前記所定数以上の複数の小グループに分類する手段とし、
前記代表画像選択手段は、前記複数の小グループのそれぞれに分類されたデータの画質の評価値に基づいて、前記所定数の代表データを選択する手段としてもよい。
【００１６】
これにより、日付単位で分類されたデータから、代表データを満遍なく選択することができる。
【００１７】
また、本発明によるデータ表示装置においては、前記分類手段を、前記複数のグループに分類されたデータを、該データを時系列順に並べた状態における取得時間差に基づいて前記所定数の小グループに分類する手段とし、
前記代表画像選択手段を、前記所定数の小グループにおける画質の評価値が最も高い１つのデータを前記代表データとして選択する手段としてもよい。
【００１８】
また、本発明によるデータ表示装置においては、前記表示制御手段を、前記代表データが動画像である場合において、該動画像の先頭フレームを前記サムネイル画像として表示する手段としてもよい。
【００１９】
これにより、代表データとして選択された動画像の内容を容易に認識することができる。
【００２０】
また、本発明によるデータ表示装置においては、前記表示制御手段を、前記代表データが動画像である場合において、該動画像から複数のフレームを取得し、該複数のフレームを並べて配置して１つの前記サムネイル画像として表示する手段としてもよい。
【００２１】
これにより、代表データとして選択された動画像の内容をより容易に認識することができる。
【００２２】
また、本発明によるデータ表示装置においては、前記日付領域の選択を受け付けると、該日付領域に対応するグループのすべての画像の選択を行う選択手段をさらに備えるようにしてもよい。
【００２３】
これにより、日付単位で分類されたデータの選択を容易に行うことができる。
【００２４】
また、本発明によるデータ表示装置においては、前記表示制御手段を、前記選択された日付領域に対応するグループの画像の一覧を前記表示手段に表示し、該一覧において、互いに類似する画像および不要画像候補を識別可能に前記複数の画像を表示する手段としてもよい。
【００２５】
これにより、データの一覧において、データの取捨選択を容易に行うことができる。
【００２６】
本発明によるデータ表示方法は、デジタルカメラにより取得された複数のデータの入力を受け付け、
前記複数のデータを日付単位で複数のグループに分類し、
前記複数のグループのそれぞれから所定数の代表データを選択し、
前記所定数の代表データのサムネイル画像を前記日付単位で分類された日付領域に配置して表示手段に表示することを特徴とするものである。
【００２７】
なお、本発明によるデータ表示方法をコンピュータに実行させるためのプログラムとして提供してもよい。
【図面の簡単な説明】
【００２８】
【図１】本発明の実施形態によるデータ表示装置を適用した注文受付装置の外観斜視図
【図２】本発明の実施形態による注文受付装置の構成を示す概略ブロック図
【図３】本実施形態において行われる処理を示すフローチャート
【図４】本実施形態における分類画面を示す図
【図５】日付領域の表示の他の態様を示す図
【図６】日付領域の表示の他の態様を示す図
【図７】日付領域の表示の他の態様を示す図
【図８】日付領域の表示の他の態様を示す図
【図９】データ一覧画面を示す図（その１）
【図１０】データ一覧画面を示す図（その２）
【発明を実施するための最良の形態】
【００２９】
以下、図面を参照して本発明の実施形態について説明する。図１は本発明の実施形態によるデータ表示装置を適用した注文受付装置の外観斜視図である。図１に示すように、本実施形態による注文受付装置１は、ユーザによる画像のＣＤへの記録およびプリント出力等の注文を受け付けるために写真店の店頭に設置されてなるものであり、ユーザがデジタルカメラにより取得した静止画像、動画像および音声のデータが記録された各種メモリカード２を装填し、メモリカード２からデータを読み出したり、メモリカード２にデータを記録したりするための複数種類のカードスロット４と、注文のための各種表示を行う表示部６とを備え、写真店に設置されたＣＤドライブ８およびプリンタ１０と接続されている。なお、表示部６はタッチパネル式の入力部を備え、ユーザはモニタ６の表示にしたがって表示部６にタッチすることにより、注文に必要な入力を行うことができる。
【００３０】
ここで、本実施形態においては、写真店は、ユーザがメモリカード２に記録されたデータのＣＤへの記録の注文を行うものとして説明する。
【００３１】
図２は本発明の実施形態による注文受付装置の構成を示す概略ブロック図である。図２に示すように、注文受付装置１は、メモリカード２から読み出したデータの記録制御および表示制御等の各種制御を行うとともに、装置１を構成する各部の制御を行うＣＰＵ１２と、装置１を動作させるための基本的なプログラムおよび各種定数が記録されているＲＯＭ並びにＣＰＵ１２が処理を実行する際の作業領域となるＲＡＭにより構成されるシステムメモリ１４と、種々の指示を装置１に対して行うためのタッチパネル式の入力部１６と、上述した表示部６とを備える。
【００３２】
また、注文受付装置１は、上述したカードスロット４と、静止画像、動画像のデータをＪＰＥＧやモーションＪＰＥＧに代表される手法で圧縮したり、圧縮したデータを解凍する圧縮解凍部２２と、メモリカード２から読み出したデータのＣＤへの記録等の注文を行うための注文プログラムおよびＣＰＵ１２が実行する各種プログラム等を記録するハードディスク２４と、システムメモリ１４、カードスロット４およびハードディスク２４を制御するメモリ制御部２６と、表示部６の表示を制御する表示制御部２８と、ＣＤドライブ８およびプリンタ１０を装置１に接続するためのインターフェース（Ｉ／Ｆ）３０とを備える。
【００３３】
なお、カードスロット４はメモリカード２の種類に応じて複数用意されているが、図２においては１つのカードスロット４のみを示している。
【００３４】
また、注文受付装置１は、後述するようにメモリカード２に記録された複数のデータを取得した日付単位で複数のグループに分類する分類部３２と、複数のグループのそれぞれから複数の代表データを選択する代表データ選択部３４とを備える。
【００３５】
以下、本実施形態において行われる処理について説明する。図３は本実施形態において行われる処理を示すフローチャートである。ユーザがメモリカード２をカードスロット４に装填し、メモリカード２に記録された静止画像、動画像および音声のデータの読み出しの指示を入力部１６から行うことによりＣＰＵ１２が処理を開始し、メモリカード２に記録された複数のデータを読み込む（ステップＳＴ１）。次いで、分類部３２が、読み出した複数のデータを取得した日付単位で複数のグループに分類する（ステップＳＴ２）。具体的には、取得日が同一のデータを１つのグループに分類する。なお、日付単位の分類は、静止画像、動画像および音声の各データに付与された取得日の情報を用いて行えばよい。
【００３６】
次いで、代表データ選択部３４が、各グループに分類されたデータから複数の代表データを選択する（ステップＳＴ３）。そして、表示制御部２８が複数の代表データのサムネイル画像を日付単位で分類された日付領域に配置した分類画面をモニタ６に表示し（ステップＳＴ４）、処理を終了する。
【００３７】
図４は本実施形態における分類画面を示す図である。図４に示すように、分類画面５０には、複数の日付領域５０Ａと、１画面に表示しきれない日付領域５０Ａをスクロールするためのスクロールバー５０Ｂとが表示されている。各日付領域５０Ａには、分類されたデータを取得した日付５０Ｃ並びにその日付のグループに含まれる静止画像、動画像および音声のそれぞれのデータの数を含む付帯情報５０Ｄと、対応する日付に分類されたデータの代表データのサムネイル画像５２が表示されている。ここで、本実施形態においては、８１のデータを分類したものとし、分類画面５０において表示されるサムネイル画像５２にデータの番号を付与するものとする。
【００３８】
なお、代表データが静止画像の場合には静止画像を縮小した画像をサムネイル画像５２として用いればよい。また、代表データが動画像である場合には、動画像の先頭フレームを縮小した画像をサムネイル画像５２として用いればよい。ここで、動画像のフォーマットによっては、先頭のフレームを取得できない場合がある。この場合、代表データが動画像であることを表すアイコンをサムネイル画像５２として用いればよい。なお、先頭のフレームのみならず、中央のフレームまたは最後のフレームであってもよい。また、代表データが音声である場合にも、代表データが音声であることを表すアイコンをサムネイル画像５２として用いればよい。
【００３９】
ここで、本実施形態においては、１つのグループから４つまたは５つの代表データを選択し、日付領域５０Ａに４つまたは５つの代表データのサムネイル画像５２を表示する。以下、代表データの選択および表示について詳細に説明する。
【００４０】
まず、１つのグループに分類されたデータ数が５つ以下の場合には、すべてのデータを代表データとして選択し、選択したすべての代表データのサムネイル画像５２を表示する。具体的には、１つのグループに５つのデータが分類されている場合には、２００５年１０月３日の日付領域５０Ａに示すように５つの代表データのサムネイル画像５２を表示する。また、１つのグループに３つのデータが分類されている場合には、２００５年１１月２３日の日付領域５０Ａに示すように３つの代表データのサムネイル画像５２を表示する。
【００４１】
また、１つのグループに分類されたデータ数が６以上の場合には、データを取得した日付単位で並べた状態における先頭の２つのデータおよび最後の２つのデータを代表データとして選択し、選択した４つの代表データのサムネイル画像５２を表示する。この際、先頭の２つのデータのサムネイル画像と最後の２つのデータのサムネイル画像との間にさらにデータが存在することが分かるように、先の２つのサムネイル画像と後の２つのサムネイル画像とを「〜」にて連結する。具体的には、２００５年１０月１０日、２００５年１２月２３日および２００５年１２月２４日の日付領域５０Ａに示すように４つの代表データのサムネイル画像５２を表示する。
【００４２】
このように、本実施形態においては、分類画面５０における日付領域５０Ａに複数の代表データのサムネイル画像５２を表示するようにしたため、表示された代表データのサムネイル画像５２を見れば、サムネイル画像５２が表示されている日付領域５０Ａに対応する日付に、どのようなデータが分類されているかを容易に認識することができる。
【００４３】
また、日付領域５０Ａに、分類されたデータを取得した日付５０Ｃ、並びにその日付のグループに含まれる静止画像、動画像および音声データの数を含む付帯情報５０Ｄを表示するようにしたため、分類されたデータが取得された日付、並びにその日付に分類された静止画像、動画像および音声の数を容易に認識することができる。
【００４４】
なお、上記実施形態において代表データを選択する際には、図５に示すように日付単位で分類したデータのグループをさらに各データ間の取得時間差に基づいて４つの小グループＴＧ１，ＴＧ２，ＴＧ３，ＴＧ４に分類し、各小グループＴＧ１，ＴＧ２，ＴＧ３，ＴＧ４の先頭のデータ（図５においては番号１，８，１３，１７のデータ）を代表データとして選択してもよい。この場合、小グループＴＧ１，ＴＧ２，ＴＧ３，ＴＧ４への分類は、データ間の取得時間差を多い順に並べた状態における上位３つの取得時間差を得たデータ間を小グループＴＧ１，ＴＧ２，ＴＧ３，ＴＧ４の区切り位置とすればよい。
【００４５】
ここで、図５においては、番号１、８のデータのサムネイル画像と番号１３，１７のデータのサムネイル画像とを「〜」により連結して日付領域５０Ａに表示しているが、４つのサムネイル画像５２を並べて表示するようにしてもよい。また、データのグループを５つの小グループに分類して５つのサムネイル画像５２を日付領域５０Ａに表示してもよい。
【００４６】
また、とくに分類されたデータが静止画像のみである場合には、日付単位で分類したデータのグループを、互いに類似するデータからなる複数の小グループにさらに分類してもよい。この場合、小グループに分類された各データ（静止画像）のブレ、ボケの程度から各データの評価値を算出し、小グループ毎に評価値の平均値を算出する。そして、評価値の平均値を大きい順に並べた状態における上位４つの小グループを選択し、さらに選択した小グループからそれぞれ評価値が最も高いデータを代表データとして選択する。
【００４７】
具体的には、図６に示すように、１つのグループに２０の静止画像のデータが分類された場合において、各データのシーン判定を行い、互いに類似するデータからなる６つの小グループＬＧ１〜ＬＧ６に分類する。そして、各小グループＬＧ１〜ＬＧ６に分類されたデータの評価値を算出し、その平均値を算出する。ここで、各小グループＬＧ１〜ＬＧ６の評価値の平均値が、それぞれ６０点、８０点、６５点、３５点、９５点および１０点であるとすると、平均値が上位の４つの小グループＬＧ１，ＬＧ２，ＬＧ３，ＬＧ５を選択する。そして、各小グループＬＧ１，ＬＧ２，ＬＧ３，ＬＧ５から評価値が最も高い１つのデータ（図６においては、番号３，５，１１，１６のデータ）をそれぞれ代表データとして選択する。
【００４８】
なお、小グループ数が５以下の場合には、各小グループからそれぞれ１つの代表データを選択して、選択したすべての代表データのサムネイル画像５２を日付領域５０Ａに表示してもよい。
【００４９】
また、日付単位で分類したデータのグループをさらに各データ間の取得時間差に基づいて複数の小グループに分類し、各小グループにおける評価値が最も大きいデータを代表データとして選択して、そのサムネイル画像を日付領域５０Ａに表示してもよい。
【００５０】
また、上記実施形態において、代表データが動画像の場合に、動画像のフレームを４等分し、４等分した各フレームの先頭フレームを並べたサムネイル画像を日付領域５０Ａに表示してもよい。具体的には、図７に示すように、動画像が２０のフレームからなる場合において、２０のフレームを等間隔に５フレームずつの４つのグループに分け、各グループの先頭のフレーム１，６，１１，１６を選択する。そして、選択したフレーム１，６，１１，１６を並べたサムネイル画像５２Ａを作成し、日付領域５０Ａにおいて他のサムネイル画像５２とともに表示すればよい。
【００５１】
ここで、分類画面５０をモニタ６に表示した状態において、ユーザはＣＤに記録する画像を選択する。この際、分類画面５０において日付領域５０Ａ毎に領域を選択可能とし、選択された日付領域５０Ａについては、対応する日付のグループに分類されているデータをすべて選択できるようにする。なお、選択した日付領域５０Ａについては、図８に示すように日付領域５０Ａの左側に選択されていることを示すマーク５４を表示すればよい。これにより、日付毎にデータの一覧を表示して、データ毎に選択を行う作業を簡略化することができるため、データ選択時のユーザの負担を軽減できる。
【００５２】
なお、日付領域５０Ａを選択した状態において、一覧表示の指示を行うことにより、図９に示すように、対応する日付のグループに分類されたすべてのデータを選択した状態でデータの一覧を表示すればよい。図９においては、一覧に含まれるデータのサムネイル画像に斜線を付与することにより、選択された状態を表している。
【００５３】
この際、日付単位で分類したデータのグループを、互いに類似するデータからなる複数の小グループにさらに分類し、小グループ単位で互いに類似するデータであることを示す情報を一覧画面に付与してもよい。また、各データについてデータ（静止画像）のブレ、ボケの程度から各データの評価値を算出し、評価値が所定値以下のデータについては、不要画像候補であることを示す情報を一覧画面に付与してもよい。
【００５４】
例えば、図１０に示すように、類似するデータ同士に同一模様の枠５６，５８を付与したり、不要画像候補については斜線６０を付与するようにしてもよい。具体的には、図１０においては、番号３，６，８，９，１０，１４〜１６の画像に枠５６が、番号１１，１３の画像に枠５８が、番号３，８，１５，１６の画像に斜線６０が付与されている。これにより、データを選択した状態から、不要なデータの取捨選択を容易に行うことができる。
【００５５】
以上、本発明の実施形態に係る装置について説明したが、コンピュータを、上記の分類部３２、代表データ選択部３４および表示制御部２８に対応する手段として機能させ、図４に示すような処理を行わせるプログラムも、本発明の実施形態の１つである。また、そのようなプログラムを記録したコンピュータ読取り可能な記録媒体も、本発明の実施形態の１つである。また、このようなプログラムを、画像を閲覧するためのビューアソフトに組み込むようにしてもよい。
【符号の説明】
【００５６】
１    注文受付装置
２    メモリカード
４    カードスロット
６    表示部
８    ＣＤドライブ
１０    プリンタ
１２    ＣＰＵ
１４    システムメモリ
１６    入力部
２２    圧縮解凍部
２４    ハードディスク
２６    メモリ制御部
２８    表示制御部
３０    インターフェース
３２    分類部
３４    代表データ選択部
【図１】
2010279047.tif 000003
【図２】
2010279047.tif 000004
【図３】
2010279047.tif 000005
【図４】
2010279047.tif 000006
【図５】
2010279047.tif 000007
【図６】
2010279047.tif 000008
【図７】
2010279047.tif 000009
【図８】
2010279047.tif 000010
【図９】
2010279047.tif 000011
【図１０】
2010279047.tif 000012